(57)【要約】【課題】  第２側カバーを簡単に開閉でき、かつリール本体を握ったときに掌に触ることなく第２側カバーを開閉操作できるようにする。さらに、リール全体を小型化しながら、リール外観の美観を向上させることにある。【解決手段】  第２側板９の後部内側には、第２側カバー７を開閉するための操作レバー１４が揺動自在に露出して装着されている。操作レバー１４は、第１側板８及び第２側板９に支持された揺動軸１５に装着されている。揺動軸１５の先端には、第２側カバー７が固定されており、第２側カバー７は、ばね部材１６により第２側板９から離反する方向に付勢されている。第２側カバー７側の揺動軸１５には、径方向の上下に突出するピン部材１５ａがばね部材１６の端部が接触可能に装着されている。【選択図】      図２
2005323586.tif 000002
【特許請求の範囲】
【請求項１】
釣竿に装着され、ハンドルが一側面に配置され、釣り糸を前方に繰り出すスプールが内部に配置された両軸受リールのリール本体であって、
前記スプールが間に配置される１対の第１側板及び第２側板と、前記第１側板及び前記第２側板を連結する連結部材とを有するフレームと、
前記第１側板の外方を覆い、外方に前記ハンドルが装着される第１側カバーと、
前記第２側板の外方を覆い、前記第２側板に開閉自在に装着される第２側カバーと、
前記第２側板から内側に露出して設けられた操作部を有し、前記第２側カバーを開閉する開閉機構と、
を備えた両軸受リールのリール本体。
【請求項２】
前記第２側カバーは、前記スプールの回転軸と平行な揺動軸に軸回りに揺動自在、かつ軸方向に移動自在に前記第２側板に装着されている、請求項１に記載の両軸受リールのリール本体。
【請求項３】
前記第２側カバーを前記第２側板から離反する方向に付勢する付勢部材をさらに備えている、請求項２に記載の両軸受リールのリール本体。
【請求項４】
前記第２側カバーは、前記揺動軸に沿って配置され、前記第２側板に回動自在かつ軸方向移動自在に配置された軸部材の先端部に固定されている、請求項２又は３に記載の両軸受リールのリール本体。
【請求項５】
前記軸部材は、基端部が前記第１側板に回動自在かつ軸方向移動自在に配置されている、請求項４に記載の両軸受リールのリール本体。
【請求項６】
前記軸部材の基端部に設けられ、前記軸部材の軸方向移動を所定範囲の間で規制する規制部材をさらに備えている、請求項４又は５に記載の両軸受リールのリール本体。
【請求項７】
前記操作部は、前記第２側板に回転自在に装着され、前記軸部材に回転可能に装着されたレバー部材である、請求項４から６のいずれか１項に記載の両軸受リールのリール本体。
【請求項８】
前記操作部は、前記第２側カバーが開く第１位置と、前記第２側カバーが閉じる第２位置とに揺動自在に設けられ、
前記開閉機構は、前記操作部を前記第１位置に揺動させたとき前記軸部材が軸方向移動可能に挿通され、かつ前記操作部を前記第２位置に揺動させたとき前記軸部材が軸方向移動不能に係止される係止機構をさらに有している、請求項７に記載の両軸受リールのリール本体。
【請求項９】
前記スプールの下方に配置された前記連結部材の下側に設けられ、下面に前記釣竿が装着される竿装着脚部をさらに備え、
前記フレームの上面と前記竿装着脚部の下面との間の上下長さは、前記フレームの前記釣竿の長手方向に沿った前後長さより小さい、請求項１から８のいずれか１項に記載の両軸受リールのリール本体。
【発明の詳細な説明】
【技術分野】
【０００１】
本発明は、リール本体、特に、ハンドルが一側面に配置され内部にスプールが配置された両軸受リールのリール本体に関する。
【背景技術】
【０００２】
両軸受リールは、一般に、釣竿に装着されるリール本体と、リール本体の内部に配置されたスプールと、リール本体の一側に装着されたハンドルとを備えている。リール本体は、フレームと、フレームの両側方を覆う１対の第１側カバー及び第２側カバーとを有している。フレームは、１対の第１側板及び第２側板と、第１側板及び第２側板を連結する連結部材とを有している。第１側カバー及び第２側カバーは、第１側板及び第２側板の外方にそれぞれ装着されている。第１側カバーの外方には、ハンドルやスタードラグが装着されている。ハンドル装着側と逆側の第２側カバーは、スプールやブレーキ機構を着脱するために、第２側板に開閉自在に装着されている。
【０００３】
この種の両軸受リールでは、第２側カバーを開閉操作するための開閉機構は、第１側カバーまたは第２側カバーの側方に露出しており、外部から操作可能に設けられている。
【０００４】
ハンドル装着側の第１側カバーから露出して設けられた開閉機構は、たとえば第１側板及び第２側板を貫通して設けられ、操作部としての頭部が第１側カバーから露出する１本または複数本のねじにより構成されている（たとえば、特許文献１参照）。
【０００５】
また、ハンドル装着側と逆側の第２側カバーから露出して設けられた開閉機構は、たとえば折り畳み可能な操作部と、操作部に連動して回転する係止部とにより構成されている。係止部は、第２側板に形成されたスプール通過用の開口の周囲に係止される（たとえば、特許文献２参照）。
【特許文献１】特開２００１−１４５４４３号公報
【特許文献２】特開２００１−５４３４２号公報
【発明の開示】
【発明が解決しようとする課題】
【０００６】
前記従来の操作部材が第１側カバーの外方に設けられている構成では、第２側カバーを着脱するためには、たとえば左手で第２側カバー側を把持して右手で第１側カバーの操作部を操作しねじを緩めた後、右手で第１側カバー側を把持し直して左手で第２側カバーを着脱する。このように、第２側カバーを着脱するためには、リールを何度も把持しなおす必要が生じ、このため第２側カバーを簡単に着脱するのが困難である。
【０００７】
さらに、第１側カバーの外方にはハンドルやスタードラグが装着されているので、操作部を露出させるために、ハンドルやスタードラグを回転させる必要が生じる。特に、操作部材が複数ある場合は、ハンドルやスタードラグをその度に何度も回転させなければならず、第２側カバーの着脱に手間がかかり、このため第２側カバーを簡単に着脱できないおそれがある。
【０００８】
また、前記従来の操作部が第２側カバーの外方に設けられている場合、パーミング操作によりリール本体と釣竿とを一緒に握ると、掌に開閉機構の操作部が接触することがある。掌に操作部が接触すると、掌に違和感を感じることがある。また、操作部の構造によっては、誤って着脱操作が行われてしまうことがある。
【０００９】
また、特に、リール全体を把持可能なロープロフィール型の両軸受リールでは、操作部を第１側カバーまたは第２側カバーの外方に設けると、操作部がリール外形の輪郭からはみ出してしまうことがある。このように操作部がリール外形の輪郭からはみ出すと、リール全体の大型化を招くとともに、リール外観の美観を損ねるおそれが生じる。
【００１０】
本発明の課題は、第２側カバーを簡単に開閉でき、かつリール本体を握ったときに掌に触ることなく第２側カバーを開閉操作できるようにすることにある。
【００１１】
本発明の別の課題は、リール全体を小型化しながら、リール外観の美観を向上させることにある。
【課題を解決するための手段】
【００１２】
発明１に係る両軸受リールのリール本体は、釣竿に装着されハンドルが一側面に配置され内部にスプールが配置された両軸受リールのリール本体であって、スプールが間に配置される１対の第１側板及び第２側板と第１側板及び第２側板を連結する連結部材とを有するフレームと、第１側板の外方を覆い外方にハンドルが装着される第１側カバーと、第２側板の外方を覆い第２側板に開閉自在に装着される第２側カバーと、第２側板から内側に露出して設けられた操作部を有し第２側カバーを開閉する開閉機構とを備えている。
【００１３】
この両軸受リールのリール本体では、第２側カバーを開閉する開閉機構の操作部が第２側板から内側に露出して設けられているので、従来のように操作部が第１側カバーまたは第２側カバーの側方に露出することがなくなる。したがって、たとえば左手で第２側カバー側を把持しながらその手で操作部を操作して第２側カバーを簡単に着脱することができる。また、操作部は第１側カバーの外方に露出していないので、従来のようにハンドルやスタードラグを回転させる必要がなくなり、第２側カバーの着脱がさらに容易になる。一方、操作部は第２側カバーの外方に露出していないので、リール本体を握ったときに掌に触ることなくパーミングを行うことができる。
【００１４】
また、ここでは、第２側カバーを開閉する開閉機構の操作部が第２側板から内側に露出して設けられているので、従来のように操作部が第１側カバーまたは第２側カバーの側方に露出することがなくなる。したがって、操作部がリール外形の輪郭からはみ出すことがなくなるので、リール全体を小型化しながら、リール外観の美観を向上させることができる。
【００１５】
発明２に係る両軸受リールのリール本体は、発明１に記載のリール本体において、第２側カバーは、スプールの回転軸と平行な揺動軸に軸回りに揺動自在、かつ軸方向に移動自在に第２側板に装着されている。この場合、第２側カバーがスプールの回転軸と平行な揺動軸に軸回り揺動するので、着脱時に回転軸方向のスペースがあまり必要ではなく、第２側カバーをコンパクトに着脱できる。
【００１６】
発明３に係る両軸受リールのリール本体は、発明２に記載のリール本体において、第２側カバーを第２側板から離反する方向に付勢する付勢部材をさらに備えている。この場合、第２側板から第２側カバーが外れると、第２側カバーが第２側板から離反するので、自重により第２側カバーが自動的に揺動して開くようにすることができる。
【００１７】
発明４に係る両軸受リールのリール本体は、発明２又は３に記載のリール本体において、第２側カバーは、揺動軸に沿って配置され、第２側板に回動自在かつ軸方向移動自在に配置された軸部材の先端部に固定されている。この場合、第２側カバーが揺動軸の先端に固定されているので、揺動軸を所定の軸方向位置で位置決め固定することにより第２側カバーを第２側板に簡単に固定できる。
【００１８】
発明５に係る両軸受リールのリール本体は、発明４に記載のリール本体において、軸部材は、基端部が第１側板に回動自在かつ軸方向移動自在に配置されている。この場合、軸部材を第１側板と第２側板との間に配置することにより、軸部材を第２側板に片持ち支持する場合に比して、軸部材の支持を安定させることができる。
【００１９】
発明６に係る両軸受リールのリール本体は、発明４又は５に記載のリール本体において、軸部材の基端部に設けられ、軸部材の軸方向移動を所定範囲の間で規制する規制部材をさらに備えている。この場合、規制部材により軸部材が所定範囲以上外方に移動することがないので、第２側カバーが第２側板から抜け落ちるのを防止できる。
【００２０】
発明７に係る両軸受リールのリール本体は、発明４から６のいずれかに記載のリール本体において、操作部は、第２側板に回転自在に装着され、軸部材に回転可能に装着されたレバー部材である。この場合、レバー部材の回転操作により、第２側カバーの着脱が容易になる。
【００２１】
発明８に係る両軸受リールのリール本体は、発明７に記載のリール本体において、操作部は、第２側カバーが開く第１位置と、第２側カバーが閉じる第２位置とに揺動自在に設けられている。開閉機構は、操作部を第１位置に揺動させたとき軸部材が軸方向移動可能に挿通され、かつ操作部を第２位置に揺動させたとき軸部材が軸方向移動不能に係止される係止機構をさらに有している。この場合、従来のねじ式の操作部に比して回転量を少なくすることができるので、レバー部材の回転操作が簡単になる。
【００２２】
発明９に係る両軸受リールのリール本体は、発明１から８のいずれかに記載のリール本体において、スプールの下方に配置された連結部材の下側に設けられ下面に釣竿が装着される竿装着脚部をさらに備え、フレームの上面と竿装着脚部の下面との間の上下長さはフレームの釣竿の長手方向に沿った前後長さより小さい。この場合、フレームの上下長さがフレームの前後長さより小さい、いわゆるロープロフィール型の両軸受リールであるので、第２側カバーを開閉する開閉機構の操作部を第２側板から内側に露出するように設けることにより、リール全体を小型化しながら、リール外観の美観を向上させるといった効果が顕著になる。
【発明の効果】
【００２３】
本発明によれば、第２側カバーを開閉する開閉機構の操作部が第２側板から内側に露出して設けられているので、第２側カバーを簡単に開閉でき、かつリール本体を握ったときに掌に触ることなく第２側カバーを開閉操作できる。また、リール全体を小型化しながら、リール外観の美観を向上させることができる。
【発明を実施するための最良の形態】
【００２４】
本発明の一実施形態を採用した両軸受リールは、図１から図３に示すように、ベイトキャスト用の小型の両軸受リールである。この両軸受リールは、図１及び図２に示すように、リール本体１と、リール本体１の側方に配置されたスプール回転用ハンドル２と、ハンドル２のリール本体１側に配置されたドラグ調整用のスタードラグ３とを備えている。ハンドル２は、図２に示すように、ハンドル軸３０の先端に固定された板状のハンドルアーム２ａと、ハンドルアーム２ａの両端に回転自在に装着されたハンドル把手２ｂとを有するダブルハンドル型のものである。
【００２５】
リール本体１は、図１及び図２に示すように、たとえば合成樹脂製の部材であり、フレーム５と、フレーム５の両側方に装着された第１側カバー６及び第２側カバー７とを有している。第１側カバー６の外方には、ハンドル２が装着されている。
【００２６】
フレーム５は、図１から図３に示すように、所定の間隔をあけて互いに対向するように配置された１対の第１側板８及び第２側板９と、第１側板８及び第２側板９を一体で連結する複数の連結部材１０とを有している。第１側板８の外方には、第１側カバー６が装着され、第２側板９の外方には、第２側カバー７が開閉自在に装着されている。下側の連結部材１０は、図１及び図３に示すように、前後に１対設けられており、リールを釣竿に装着するための前後に長い金属製の竿装着脚部４が固定されている。また、フレーム５は、図３に示すように、フレーム５の上面と竿装着脚部４の下面との間の上下長さＡはフレーム５の釣竿の長手方向に沿った前後長さＢより小さくなっており、いわゆるリール全体を把持可能なロープロフィール型の両軸受リールを構成している。
【００２７】
フレーム５の内部には、図２に示すように、スプール軸２０に支持されたスプール１２と、サミングを行う場合の親指の当てとなるクラッチレバー１７と、スプール１２内に均一に釣り糸を巻くためのレベルワインド機構１８とが配置されている。
【００２８】
フレーム５と第１側カバー６との間には、ハンドル２からの回転力をスプール１２及びレベルワインド機構１８に伝えるためのギア機構１９と、クラッチ機構２１と、クラッチレバー１７の操作に応じてクラッチ機構２１を制御するためのクラッチ制御機構２２と、スプール１２を制動するドラグ機構２３と、スプール１２の回転時の抵抗力を調整するためのキャスティングコントロール機構２４とが配置されている。ギア機構１９は、ハンドル軸３０と、ハンドル軸３０に固定されたメインギア３１と、メインギア３１に噛み合う筒状のピニオンギア３２とを有している。また、フレーム５と第２側カバー７との間には、キャスティング時のバックラッシュを抑えるための遠心ブレーキ機構２５が配置されている。
【００２９】
第１側板８及び第２側板９の外形は、図１から図３に示すように、側面視略楕円形状になるように非円形に形成されており、第１側カバー６及び第２側カバー７の外形は、第１側板８及び第２側板９の外形と同形状になるように形成されている。
【００３０】
第２側板９の中心部よりやや上方には、図２及び図３に示すように、スプール１２を着脱するための円形の開口部１１が形成されている。開口部１１の内周には、スプール軸２０の左端を支持するスプール支持部１３が着脱自在に装着されている。
【００３１】
第２側板９の後部内側には、図１から図３に示すように、第２側カバー７を開閉するための操作レバー１４が揺動自在に露出して装着されている。操作レバー１４は、第１側板８及び第２側板９に支持された揺動軸１５に装着されている。揺動軸１５の先端には、第２側カバー７が固定されており、第２側カバー７は、ばね部材１６により第２側板９から離反する方向に付勢されている。第２側カバー７側の揺動軸１５には、径方向の上下に突出するピン部材１５ａがばね部材１６の端部が接触可能に装着されている。
【００３２】
操作レバー１４は、図１から図１３に示すように、前後方向に揺動自在に揺動軸１５に装着されたレバー状の部材である。操作レバー１４は、図１０から図１３に示すように、揺動軸１５に装着される側面視略円形の装着部１４ａと、装着部１４ａから下方に一体的に延びて形成され指で摘んで操作するための操作部１４ｂとを有している。
【００３３】
装着部１４ａは、図６から図９に示すように、左右方向に貫通する貫通孔１４ｃと、貫通孔１４ｃの左端部と連通し貫通孔１４ｃより大径に形成された第１凹部１４ｄと、貫通孔１４ｃの右端部と連通し貫通孔１４ｃより大径に形成された第２凹部１４ｅとを有している。
【００３４】
また、装着部１４ａは、図６から図９に示すように、第１凹部１４ｄの外周側に周方向に沿って形成された溝部１４ｆをさらに有しており、溝部１４ｆにはＯリング１４ｇが装着されている。Ｏリング１４ｇは、操作レバー１４が第２側板９に対して軸方向移動不能に固定するためのものであり、溝部１４ｆと第２側板９との両方に接触するように装着されている。また、Ｏリング１４ｇは、合成樹脂製の部材であって、操作レバー１４が小さい力では揺動しないようになっており、このため操作レバー１４が所定の揺動位置にて姿勢を維持することが可能である。
【００３５】
操作部１４ｂは、図１０から図１３に示すように、装着部１４ａの外形と滑らかに連続する先細り形状になるように形成されている。操作部１４ｂの先端部は、丸みを帯びて形成されており、この部分を指で摘んで前後に揺動操作可能である。操作部１４ｂは、図１０から図１２に示すように、前方に揺動させて先端部が下方に位置したとき（以下、第１位置という）、第２側カバー７が開放可能な状態となる。また、操作部１４ｂは、図１３に示すように、第１位置から後方に揺動させて先端部が後方に位置したとき（以下、第２位置という）、第２側カバー７が閉塞状態となる。
【００３６】
貫通孔１４ｃは、図１０から図１３に示すように、揺動軸１５のピン部材１５ａが挿通可能に非円形になるように形成されている。第１凹部１４ｄ及び第２凹部１４ｅは、図６から図９に示すように、揺動軸１５のピン部材１５ａが回転可能な径を有する側面視円形の凹部である。第２凹部１４ｅの底面には、図６から図１３に示すように、揺動軸１５のピン部材１５ａが接触可能な位置に傾斜面１４ｈが形成されている。傾斜面１４ｈは、操作部１４ｂを第１位置から第２位置へ揺動させる方向に傾斜高さが大きくなるように形成されている。傾斜面１４ｈは、図１０から図１３に示すように、左右２箇所に形成されている。図中左側の傾斜面１４ｈは、上側から下側に向かって傾斜高さが大きくなるように形成されており、図中右側の傾斜面１４ｈは、下側から上側に向かって傾斜高さが大きくなるように形成されている。
【００３７】
揺動軸１５は、図１から図５に示すように、スプール軸２０及びハンドル軸３０と平行に配置された軸部材である。揺動軸１５は、図１及び図３に示すように、フレーム５の後部のクラッチレバー１７下方に配置されている。揺動軸１５の両端は、第１側板８及び第２側板９に回転自在かつ軸方向移動可能に支持されている。
【００３８】
揺動軸１５の先端は、第２側板９を貫通して第２側カバー７の内側面に移動不能に固定されている。第２側板９と第２側カバー７との間に配置される揺動軸１５には、前述したピン部材１５ａが立設されている。第１側板８と第１側カバー６との間に配置される揺動軸１５の基端には、図１、図２、図４及び図５に示すように、揺動軸１５の軸方向移動を所定範囲の間で規制する規制部材１５ｂが装着されている。
【００３９】
ピン部材１５ａは、図６及び図９に示すように、揺動軸１５に形成された貫通孔１５ｃにかしめ固定される棒状部材であり、揺動軸１５を貫通して上下方向に突出している。ピン部材１５ａは、操作レバー１４の貫通孔１４ｃ及び第１凹部１４ｄを挿通可能であり、第２側カバー７を閉じたとき第２凹部１４ｅの傾斜面１４ｈに接触可能である。
【００４０】
規制部材１５ｂは、図４及び図５に示すように、揺動軸１５の基端部に固定されたＥ型止め輪である。このような規制部材１５ｂを設けることにより、図４に示すように、第２側カバー７を開いたときに第２側カバー７がリールから抜け落ちなくなる。
【００４１】
ばね部材１６は、図１、図２、図４及び図５に示すように、第２側カバー７とピン部材１５ａとの間に配置されたコイルばねであって、第２側カバー７を開く方向に付勢している。ばね部材１６は、ピン部材１５ａが貫通孔１４ｃ及び第２凹部１４ｅに位置しているときは、図５に示すように、第１凹部１４ｄの底部に接触している。このため、第２側カバー７は常に開く方向に付勢される。
【００４２】
このような構成の両軸受リールでは、たとえばバックラッシュ等により釣り糸がスプール１２に絡まる等してスプール１２をリール本体１から取り外す際には、第２側カバー７を開けて第２側板９の開口部１１を開放する必要が生じる。
【００４３】
そこで、第２側カバー７を開けるには、操作レバー１４を図１３に示す第２位置から、図１２に示す第１位置へ揺動させる。次に、第２側カバー７を回転し、揺動軸１５のピン部材１５ａが貫通孔１４ｃに挿通不能な位置（図９及び図１２参照）から貫通孔１４ｃに挿通可能な位置（図８及び図１１参照）に位置するまで回転させる。このとき、第２側カバー７及び揺動軸１５はばね部材１６により左側に付勢されているので、ピン部材１５ａが貫通孔１４ｃに挿通され第１凹部１４ｄより左側に位置するように、図４に示す規制部材１５ｂが第１側板８に当接するまで、第２側カバー７及び揺動軸１５が左側に自動的に移動する（図７参照）。すると、図６及び図１０に示すように、第２側カバー７の自重により第２側カバー７及び揺動軸１５が回転し、第２側カバー７が開放される。
【００４４】
また、第２側カバー７を閉じるには、第２側カバー７を逆方向に回転し、揺動軸１５のピン部材１５ａが貫通孔１４ｃに挿通不能な位置（図６及び図１０参照）から貫通孔１４ｃに挿通可能な位置（図７及び図１１参照）に位置するまで回転させる。そして、ピン部材１５ａを貫通孔１４ｃに挿通し第２凹部１４ｅより右側に位置するように、ばね部材１６の付勢力に逆らいながら、第２側カバー７及び揺動軸１５を右側に移動させる（図８参照）。そして、揺動軸１５のピン部材１５ａが貫通孔１４ｃに挿通不能な位置（図９及び図１２参照）まで第２側カバー７を回転させる。最後に、操作レバー１４を図１２に示す第１位置から、図１３に示す第２位置へ揺動させ、傾斜面１４ｈにピン部材１５ａを接触させる。このとき、第２側カバー７及び揺動軸１５はばね部材１６により左側に付勢され、傾斜面１４ｈは操作部１４ｂを第１位置から第２位置へ揺動させる方向に傾斜高さが大きくなっているので、第２側カバー７は第２側板９に引き込まれるようにして係止される。
【００４５】
このように構成されたリール本体１では、第２側カバー７を開閉する操作レバー１４が第２側板９から内側に露出して設けられているので、たとえば左手で第２側カバー７側を把持しながらその手で操作レバー１４を操作して第２側カバー７を簡単に着脱することができる。
【００４６】
また、操作レバー１４は第１側カバー６の外方に露出していないので、従来のようにハンドル２やスタードラグ３を回転させる必要がなくなり、第２側カバー７の着脱がさらに容易になる。一方、操作レバー１４は第２側カバー７の外方に露出していないので、リール本体１を握ったときに掌に触ることなくパーミングを行える。
【００４７】
〔他の実施形態〕
（ａ）  前記実施形態では、外形が非円形の両軸受リールを例に説明したが、両軸受リールの形状はこれに限定されるものではなく、たとえば外形が円形の丸型の両軸受リールにも本発明を適用できる。また、ロープロフィール型の両軸受リールに限定されるものではない。
【００４８】
（ｂ）  前記実施形態では、第２側カバー７の係止機構としてばね部材１６や傾斜面１４ｈを設けたが、係止機構はこれらに限定されるものではなく、たとえば第２側カバー７と第２側板９とにそれぞれ係止突起及び係止凹部を設けて係止する構成にしてもよい。あるいは、バヨネット構造等の弾性圧入係合により係止する構成にしてもよい。
【００４９】
（ｃ）  前記実施形態では、操作レバー１４は、第２側板９の後部下方に配置していたが、第２側板９の内側面であればどのような位置でもよい。また、操作レバー１４の形状はレバー状に限定されるものではない。
【００５０】
（ｄ）  前記実施形態では、規制部材１５ｂを揺動軸１５の基端部に設けていたが、たとえば操作レバー１４に当接するように配置してもよい。
【００５１】
（ｅ）  前記実施形態では、揺動軸１５は、第１側板８及び第２側板９に支持されていたが、たとえば第１側板８に片持ち支持される構成にしてもよい。
【００５２】
（ｆ）  前記実施形態では、第１位置に操作レバー１４を配置したとき、図１２に示したような位置関係に配置され、ただちに第２カバー７が開かないようにした。これにより、操作レバー１４を第２位置から第１位置に誤動作により移動させても第２側カバー７が開かないようにしている。しかし、第１位置に操作レバー１４を配置したときに、図１４に示す位置になるようにピン部材１５ａと操作バー１４の貫通孔１４ｃとを配置し、ピン部材１５ａが貫通孔１４ｃを貫通可能なようにしてもよい。
【００５３】
この実施形態では、図１７に示すように、揺動レバー１１４の第２凹部１１４ｅにおいて、ピン部材１５ａが貫通可能な貫通孔１１４ｃは両端が扇形に形成されている。傾斜面１１４ｈは、貫通孔１１４ｃの縁部から図１７の左方（図１４反時計回り）に行くにつれて傾斜高さが高くなるように形成された傾斜部１１４ｉと、揺動軸１５の軸芯と直交する平面部１１４ｊとを有している。平面部１１４ｊの中間部には、ピン部材１５ａの外周面が係合する断面し円弧状の係止溝１１４ｋが形成されている。係止溝１１４ｋは、揺動レバー１１４が第２位置に配置されるとピン部材１５ａが係止溝１１４ｋに配置されるように形成されている。
【００５４】
この場合、第２側カバー７を開けるには、操作レバー１１４を図１５に示す第２位置から、図１４に示す第１位置へ揺動させる。すると、揺動軸１５のピン部材１５ａが貫通孔１１４ｃを挿通可能な位置に配置される。このとき、第２側カバー７及び揺動軸１５はばね部材１６により左側に付勢されているので、ピン部材１５ａが貫通孔１１４ｃを挿通し第１凹部１４ｄより左側に位置するように、図４に示す規制部材１５ｂが第１側板８に当接するまで、第２側カバー７及び揺動軸１５が左側に自動的に移動する（図７参照）。すると、図６及び図１６に示すように、第２側カバー７の自重により第２側カバー７及び揺動軸１５が回転し、第２側カバー７が開放される。
【００５５】
また、第２側カバー７を閉じるには、第２側カバー７を逆方向に回転し、揺動軸１５のピン部材１５ａが貫通孔１１４ｃに挿通可能な位置（図６及び図１４参照）まで回転させる。そして、ピン部材１５ａを貫通孔１１４ｃに挿通し第２凹部１１４ｅより右側に位置するように、ばね部材１６の付勢力に逆らいながら、第２側カバー７及び揺動軸１５を右側に移動させる（図８参照）。そして、操作レバー１１４を図１４に示す第１位置から、図１５に示す第２位置へ揺動させ、傾斜面１１４ｈの傾斜部１１４ｉにピン部材１５ａを接触させる。このとき、第２側カバー７及び揺動軸１５はばね部材１６により左側に付勢され、傾斜部１１４ｉは操作部１１４ｂを第１位置から第２位置へ揺動させる方向に傾斜高さが大きくなっているので、第２側カバー７は第２側板９に引き込まれるようにして係止される。そして、操作レバー１１４が第２位置に配置されると、ピン部材１５ａが平面部１１４ｊの中間に形成された係止溝１１４ｋに配置され、揺動レバー１１４の揺動が規制される。このため、第２位置にある揺動レバー１１４を誤操作により触っても揺動レバー１１４が誤動作しにくい。
【００５６】
このような構成にすることにより、操作レバー１４を第２位置から第１位置に操作するだけで簡単に第２側カバー７を開けることができる。
【図面の簡単な説明】
【００５７】
【図１】本発明の一実施形態を採用した両軸受リールの背面図。
【図２】前記両軸受リールの平面断面図。
【図３】前記両軸受リールの側面図。
【図４】第２側カバーを開けたときの開閉機構周辺の拡大断面図。
【図５】前記第２側カバーを閉じたときの図４に相当する図。
【図６】前記第２側カバーを開けたときのレバー部材周辺の拡大断面図。
【図７】前記第２側カバーを回転させたときの図６に相当する図。
【図８】前記第２側カバーを閉じたときの図６に相当する図。
【図９】前記第２側カバーを回転させたときの図６に相当する図。
【図１０】前記第２側カバーを開けたときの前記レバー部材周辺の拡大側面図。
【図１１】前記第２側カバーを移動させたときの図１０に相当する図。
【図１２】前記第２側カバーを閉じたきの図１０に相当する図。
【図１３】前記レバー部材を揺動させたときの図１０に相当する図。
【図１４】他の実施形態の第１位置を示す図１１に相当する図。
【図１５】他の実施形態の第２位置を示す図１３に相当する図。
【図１６】他の実施形態の図１０に相当する図。
【図１７】図１５のＸVII−ＸVII断面図。
【符号の説明】
【００５８】
１  リール本体
２  ハンドル
５  フレーム
６  第１側カバー
７  第２側カバー
８  第１側板
９  第２側板
１０  連結部材
１１  開口部
１２  スプール
１４  操作レバー
１４ａ  装着部
１４ｂ  操作部
１４ｃ  貫通孔
１４ｄ  第１凹部
１４ｅ  第２凹部
１４ｆ  溝部
１４ｇ  Ｏリング
１４ｈ  傾斜面
１５  揺動軸
１５ａ  ピン部材
１５ｂ  規制部材
１５ｃ  貫通孔
１６  ばね部材
【図１】
2005323586.tif 000003
【図２】
2005323586.tif 000004
【図３】
2005323586.tif 000005
【図４】
2005323586.tif 000006
【図５】
2005323586.tif 000007
【図６】
2005323586.tif 000008
【図７】
2005323586.tif 000009
【図８】
2005323586.tif 000010
【図９】
2005323586.tif 000011
【図１０】
2005323586.tif 000012
【図１１】
2005323586.tif 000013
【図１２】
2005323586.tif 000014
【図１３】
2005323586.tif 000015
【図１４】
2005323586.tif 000016
【図１５】
2005323586.tif 000017
【図１６】
2005323586.tif 000018
【図１７】
2005323586.tif 000019